(57)【特許請求の範囲】
【請求項１】
光学レンズ群を保持する摺動枠の外周に、固定枠とカム筒が外嵌してあり、前記カム筒の回転により、前記固定枠に対して、前記摺動枠を光軸に沿って前後方向に移動するレンズ鏡筒に於いて、
前記摺動枠は、何れか一方が前記光学レンズ群を保持する２個の摺動部分枠に前後方向に分割してあり、
前記２個の摺動部分枠は、付勢手段により、相互に離間する方向に付勢してあり、
前記２個の摺動部分枠に、夫々、カムピンが立設してあり、
少なくとも一方の前記カムピンに、前記固定筒の直進溝に係合する第１ローラと前記カム筒のカム溝に係合する第２ローラが外嵌してあり、
前記第２ローラを径の異なるローラに変更することで前記２個の摺動部分枠の相対位置が調整可能であることを特徴とするレンズ鏡筒。
【請求項２】
請求項１に記載のレンズ鏡筒において、
前記少なくとも一方の前記カムピンおよび前記第２ローラは、それぞれ周方向に複数設けられていることを特徴とするレンズ鏡筒。
【請求項３】
直進溝を有する固定枠の内周側に備えられ光学レンズ群を保持する第１部分と、前記第１部分と光軸方向に間隔を隔てて備えられた第２部分とを有する摺動枠と、
前記第１部分と前記第２部分とを相互に離間する方向に付勢する付勢手段と、
カム溝を有し、前記固定枠の外周側に備えられたカム筒と、
前記第１部分に立設され、前記固定枠の前記直進溝、及び、前記カム筒のカム溝に配置される第１のカムピンと、
前記第２部分に立設され、前記固定枠の前記直進溝、及び、前記カム筒のカム溝に配置される第２のカムピンと、
前記第１のカムピンの外周に備えられ、前記直進溝に係合する第１ローラ部分と、
前記第１のカムピンの外周に備えられ、前記カム溝に係合する前記第１ローラ部分とは別体の第２ローラ部分とを含み、
前記第２ローラ部分を径の異なるローラに変更することで前記第１部分と前記第２部分の相対位置が調整可能であることを特徴とするレンズ鏡筒。
【請求項４】
請求項３に記載のレンズ鏡筒において、
前記第２ローラ部分は、前記カム筒の外周側から交換可能に備えられていることを特徴とするレンズ鏡筒。
【請求項５】
請求項３又は請求項４に記載のレンズ鏡筒において、
前記第１のカムピンは、前記光軸回りの周方向に複数設けられており、
前記第１のカムピンの外周にはそれぞれ前記第２ローラ部分が備えられており、
前記第２ローラ部分は径の異なるローラに変更可能であることを特徴とするレンズ鏡筒。
【請求項６】
請求項３から請求項５の何れか１項に記載のレンズ鏡筒において、
前記第２のカムピンの外周において、前記直進溝に係合するローラ部分と前記カム溝に係合するローラ部分とは一体に形成されていることを特徴とするレンズ鏡筒。
【請求項７】
請求項１から請求項６の何れか１項に記載のレンズ鏡筒を備えたことを特徴とするカメ
ラ。
【請求項８】
請求項１から請求項６の何れか１項に記載のレンズ鏡筒を備えたことを特徴とするビデ
オ。
【発明の詳細な説明】
【技術分野】
【０００１】
本発明は、例えば、カメラ・ビデオに用いるレンズ鏡筒に関する。
【背景技術】
【０００２】
図３は、従来例に係るレンズ鏡筒の部分断面図である。光学レンズ群２１は、レンズ保持枠２２に保持してあり、レンズ保持枠２２は、摺動枠２３内に固定してある。摺動枠２３の外周側には、固定枠２４とカム筒２５とが外嵌してある。固定枠２４に、直進溝２６が形成してあると共に、カム筒２５には、カム溝２７が形成してある。摺動枠２３には、カムピン２８が立設してあり、カムピン２８の外周囲に嵌合したローラ２９は、直進溝２６とカム溝２７とに係合してある。
【０００３】
従って、摺動枠２３は、カム筒２５を回転することにより、カムピン２８（ローラ２９）が固定筒２４の直進溝２６とカム筒２５のカム溝２７と協働して、光軸に沿って前後方向に移動できる。なお、レンズ保持枠２２と、摺動枠２３との間には、ワッシャー３０が介装してある。また、他の光学レンズ群は、無関係のため割愛してある。
【特許文献１】特開平１０−１４２４７１号公報
【発明の開示】
【発明が解決しようとする課題】
【０００４】
通常、カメラ用交換レンズを製造する際、フランジバック調整を行う。例えば、望遠系のレンズの場合、フォーカス群のレンズを微動させて調整する場合がある。図３の場合、組みなりでの無限遠像の合焦位置とマウント基準面から所定距離のフィルム面位置との誤差を検出後、その位置でピント面が規定位置に来るように微調整を行う。従来、図３のように、選択式のワッシャー３０を利用して調整を行うことが多かった。  
【０００５】
しかしながら、この方式をとる場合、ワッシャー３０は、レンズ鏡筒の内部に予め組込んであるため、一度組み立てたレンズ鏡筒を、調整するレンズを取り外せるところまで分解し、再度、組み立てる必要があるなど効率が悪かった。また、各種製造誤差などにより、期待している光学性能値に充たない場合、特定のレンズを微少量傾けることにより、性能を修正するティルト調芯という手法を行う場合にも、同様の課題がある。
【０００６】
本発明は、上述したような事情に鑑みてなされたものであって、所定の調整が必要な場合でも、その調整を効率良く行うことができるレンズ鏡筒を提供することを目的とする。
【課題を解決するための手段】
【０００７】
上記の目的を達成するため、本発明に係るレンズ鏡筒は、光学レンズ群を保持する摺動枠の外周に、固定枠とカム筒が外嵌してあり、前記カム筒の回転により、前記固定枠に対して、前記摺動枠を光軸に沿って前後方向に移動するレンズ鏡筒に於いて、
前記摺動枠は、何れか一方が前記光学レンズ群を保持する２個の摺動部分枠に前後方向に分割してあり、
前記２個の摺動部分枠は、付勢手段により、相互に離間する方向に付勢してあり、
前記２個の摺動部分枠に、夫々、カムピンが立設してあり、
少なくとも一方の前記カムピンに、前記固定筒の直進溝に係合する第１ローラと前記カム筒のカム溝に係合する第２ローラが外嵌してあり、
前記第２ローラを径の異なるローラに変更することで前記２個の摺動部分枠の相対位置が調整可能であることを特徴とする。
また、本発明に係るレンズ鏡筒は、直進溝を有する固定枠の内周側に備えられ光学レンズ群を保持する第１部分と、前記第１部分と光軸方向に感覚を隔てて備えられた第２部分とを有する摺動枠と、
前記第１部分と前記第２部分とを相互に離間する方向に付勢する付勢手段と、
カム溝を有し、前記固定枠の外周側に備えられたカム筒と、
前記第１部分に立設され、前記固定枠の前記直進溝、及び、前記カム筒のカム溝に配置される第１のカムピンと、
前記第２部分に立設され、前記固定枠の前記直進溝、及び、前記カム筒のカム溝に配置される第２のカムピンと、
前記第１のカムピンの外周に備えられ、前記直進溝に係合する第１ローラ部分と、
前記第１のカムピンの外周に備えられ、前記カム溝に係合する前記第１ローラ部分とは別体の第２ローラ部分とを含み、
前記第２ローラ部分を径の異なるローラに変更することで前記第１部分と前記第２部分の相対位置が調整可能であることを特徴とする。
また、本発明に係るカメラは、前記レンズ鏡筒を備えたことを特徴とする。
また、本発明に係るビデオは、前記レンズ鏡筒を備えたことを特徴とする。
【発明の効果】
【０００８】
本発明によれば、所定の調整が必要な場合でも、その調整を効率良く行うことができる。
【発明を実施するための最良の形態】
【０００９】
以下、本発明の実施の形態に係るレンズ鏡筒を図面を参照しつつ説明する。
【００１０】
図１は、本発明の実施の形態に係るレンズ鏡筒の部分断面図である。図２は、図１に示したカムピン、カム溝及び直進溝の関係を説明するためのカム筒を中心とした展開図である。
【００１１】
光学レンズ群１は、レンズ保持枠２に保持してあり、レンズ保持枠２は、摺動枠３内に固定してある。摺動枠３の外周側には、固定枠４とカム筒５とが外嵌してある。固定枠４に、直進溝６が形成してあると共に、カム筒５には、カム溝７が形成してある。
【００１２】
本実施の形態では、摺動枠３は、レンズ保持枠２を固定した前側摺動部分枠３ａと、後側摺動部分枠３ｂとに分割してある。前側摺動部分枠３ａと後側摺動部分枠３ｂは、バネ１０により、相互に離間する方向に付勢してある。なお、バネ１０は、ウェーブワッシャーなどであるが、前側摺動部分枠３ａと後側摺動部分枠３ｂを離間するように付勢できれば、他の付勢部材であってもよい。
【００１３】
前側摺動部分枠３ａと後側摺動部分枠３ｂに、夫々、前側カムピン８ａと後側カムピン８ｂが立設してあり、前側カムピン８ａと後側カムピン８ｂに、夫々、固定筒４の直進溝６とカム筒５のカム溝７に係合する前側ローラ１１と後側ローラ１２が外嵌してある。
【００１４】
従って、摺動枠３は、カム筒５を回転することにより、図２にも示すように、カムピン８ａ，８ｂ（ローラ１１，１２）が固定筒４の直進溝６とカム筒２５のカム溝７と協働して、光学レンズ群１やレンズ保持枠２と共に光軸に沿って前後方向に移動できる。なお、他の光学レンズ群は、無関係のため割愛してある。
【００１５】
ここで、前方側のローラ１１は、カム溝７に係合するローラ１１ａと、直進溝６に係合するローラ１１ｂとからなり、夫々、別体に設けてある。しかも、ローラ１１ａは、交換等により、その径を調整可能に構成してある。
【００１６】
また、後述するフランジバック調整やティルト調芯等その他の場合、カムピン８ａ，８ｂやローラ１１ａ，１１ｂ，１２は、光軸回りの周方向に、複数組（例えば２〜３組）設けてある。但し、説明の便宜のため、１組のみ示してある。
【００１７】
次に、この構成でフランジバック調整を行う手順を説明する。図２に示した状況で、レンズが無限遠位置の状態に置いておく。本実施の形態の場合、カムピン８ａに外嵌されカム溝７に係合するローラ１１ａは、上記のように、交換可能となっている。
【００１８】
光学レンズ群１を微少量前方（図１で左側）へ移動したい場合は、ローラ１１ａを、その直径が必要量小さいものへ変更する。これにより、前側摺動部分枠３ａは、バネ１０に付勢されて、レンズ保持枠２や光学レンズ群１と共に、前方へ移動する。このように、構造的な位置は、不変のまま、光学レンズ群１の位置を変更することができる。
【００１９】
光学レンズ群１の位置を後方（図１で右側）へ変更したい場合は、ローラ１１ａを、その直径が必要量大きいものへと変更する。この場合、バネ１０は、縮む方向に押し込まれ、これで前側摺動部分枠３ａは、レンズ保持枠２や光学レンズ群１と共に、後方へ移動する。
【００２０】
以上の方法により、光学レンズ群１を組み立てた状態で、ローラ１１ａの径を変更するだけで、フランジバック調整が可能になる。この構成は、レンズ鏡筒の側面（外部）からの調整が可能であるため、従来のようにレンズ鏡筒を分解することなく、完成品に近い状態でも、フランジバック調整を可能することができ、その結果、この調整の作業性を極めて良好にすることができ、調整を効率良く行うことができる。
【００２１】
また、例えば、撮影用レンズの場合、各種製造誤差などにより、期待している光学性能値に充たない場合、特定のレンズを微少量傾けることにより、性能を修正するティルト調芯という手法を行う場合がある。
【００２２】
本実施の形態を使用すると、例えば、ローラ１１ａを各カムピン８ａ毎に異なる直径のものに変更することにより、光学レンズ群１と保持枠２と一緒に前側摺動部分枠３ａに、傾きをもたせることができる。これも組み立てた状態のままで、レンズ鏡筒の側面から調整が可能となるので、分解することなく、外部から調整をすることができるようになる。
【００２３】
また、例えば、レンズ保持枠２と前側摺動部分枠３ａを一体化する手法を用いても、本実施の形態は、使用でき、コストを削減することができる。
【００２４】
なお、本発明は、上述した実施の形態に限定されず、種々変形可能である。
【図面の簡単な説明】
【００２５】
【図１】本発明の実施の形態に係るレンズ鏡筒の部分断面図である。
【図２】図１に示したカムピン、カム溝及び直進溝の関係を説明するためのカム筒を中心とした展開図である。
【図３】従来例に係るレンズ鏡筒の部分断面図である。
【符号の説明】
【００２６】
１…光学レンズ群、２…レンズ保持枠、３…摺動枠、３ａ…前側摺動部分枠、３ｂ…後側摺動部分枠、４…固定枠、５…カム筒、６…直進溝、７…カム溝、８ａ，８ｂ…カムピン、１１ａ，１１ｂ…ローラ
【図１】
0004821221.tif 000002
【図２】
0004821221.tif 000003
【図３】
0004821221.tif 000004